(57)【要約】      （修正有）【課題】口腔内に確実に食物を入れることのできる介護用スプーンを提供する。【解決手段】片手のまま乳児を抱いて操作が出来るように柄１の部分にスプリング機能の付いた操作ノブ２を設置。スプリング機能により、ワンタッチ機能で自動的に食物押出し部４が戻ることを特徴とする。スプーン先端受皿部３の上にある食物７を、柄の操作ノブの案内溝６に沿って操作ノブ２をスライドさせることによって、食物７を舌上にスムーズに押し出すことが出来る。スプーン先端８を円筒形にすることにより、食物７をこぼすことなく乳児の口腔に押し出し、口に含ませやすくすることができる。【選択図】図１
0003142513.tif 000002
【実用新案登録請求の範囲】
【請求項１】
片手のまま乳児を抱いて操作が出来るように柄１の部分にスプリング機能の付いた操作ノブ２を設置。スプリング機能により、ワンタッチ機能で自動的に食物押出し部４が戻ることを特徴とする。スプーン先端受皿部３の上にある食物７を、柄の操作ノブの案内溝６に沿って操作ノブ２をスライドさせることによって、食物７を舌上にスムーズに押し出すことが出来る。スプーン先端８を円筒形にすることにより、食物７をこぼすことなく乳児の口腔に押し出し、口に含ませやすくする離乳食及び介護用食器。
【請求項２】
柄の内部のスプリングを、ゴムなどの伸縮性のある素材１２を代用してワンタッチ機能を実現する、請求項１に記載の離乳食及び介護用食器。
【考案の詳細な説明】
【技術分野】
【０００１】本考案は、母親又はそれに代わる者が乳児・要介護者に対して用いる離乳食及び介護用食器になるもので、口腔内に食物を容易に運び込めるような用途で、安全・便利な食器に関する。
【背景技術】
【０００２】文献１の介護用食器で説明すると、食物を乗せる受皿部と押出しレバーが付いた持ち手となる柄を支柱として受皿内に乗せた食物を、口元に運び口腔内に操作ノブを押して押出しレバーが食物を押出すことで舌上に食物を乗せることが出来るが、口腔に当たる部分がスプーンで、健康な大人の口であればスムーズに全量を入れて飲み込むことが可能であると思われるが、乳児・要介護者の場合口腔内が狭い上、吸い込むように口を閉じる為、スプーンそのままの形では口腔内に入りきらず、また受皿上の食物をこぼしてしまうという欠点がある。本考案は、先端部の工夫により食物をこぼさずに乳児・要介護者の口腔内へ入れることを可能とする。また、スプリング５機能により押し戻すことをスムーズにする。
【特許文献１】  実用新案登録第３０７２４４３号
【考案の開示】
【考案が解決しようとする課題】
【０００３】背景技術で述べたように、スプーンは受皿内の食物を口腔内へ運び入れてスプーンを抜き、食物を口腔内の舌上に乗せて食する手段の食器であるが、自らの手でスプーンを持つことが出来ない乳児・要介護者には、母親又はそれに代わる者がスプーンで食物を口腔内へ入れてやる必要がある。【０００４】しかし、乳児には口頭指示がわからず、口唇に触れた刺激により口腔を開け閉めするが、集中力も短時間で機嫌が悪くなると口を開けないことも多くある。そういった乳児の機嫌に作用されたり、口腔をしっかり開けないことにより、受皿上の食物の半分以上を食べこぼしたり、用意された離乳食も全量摂取出来ないといった問題がある。【０００５】食物が舌上に乗り飲み込むという訓練が未だ不十分な乳児は、飲み込むタイミングが外れると、むせたり食物をこぼしたりする問題がある。口腔内に入る一回量の考慮も必要であるし、発達段階の乳児の食する食物の形状も考慮した受皿であることに留意する。
【課題を解決するための手段】
【０００６】請求項１の考案は食物を口腔内に適量である一回量を乳児の口腔内にスムーズに入れることが可能なもので、柄の外部に手指で前後にスライド可能な操作ノブを設置し、スライド時に連結して押出し部の先端が受皿上の食物をとらえ、操作ノブを前へ押出すことで食物を受皿部の前面に押出し、乳児の口腔内に押し込むものとする。又、柄内部のスプリング機能により自然に元の位置に戻すことで次の過程への動作をスムーズにさせることを可能としている。受皿は通常のスプーン状と違い、マウスヘッドが斜めカットの形態で開口を容易としており乳児に関してもスプーンに触れるという食感を損なわずに、発達段階に適した離乳食用食器としている。
【考案の効果】
【０００７】１．この時期の乳児の発達過程は母乳栄養から、または人工栄養から離乳食を加えていくことで徐々に食べ物に慣れていく時であり、本考案の受皿部先端が当たることで口唇から舌上へと食物が与えられ食するという刺激が伝わり、身体機能の発達を促すトレーニングの効果がある。【０００８】２．食物を乗せた受皿部の先端を押出すとき、先端部の機構は受皿部の切り口と同様の型で丸みを帯びスライド時に隙間を作ることなく作成されているので、乳児の口腔内に食物を押出した際、又引き上げる際、傷つける危険はなく安全である。【０００９】３．受皿部が押出し式で食物がこぼれにくい形状から衛生的且つ経済的であり、短時間で食物を与えることが可能である。
【考案を実施するための最良の形態】
【００１０】受皿部３が円筒形で断面が斜めカットで開口しやすい形態であり、また側壁で食物を保護したまま口腔内に入る押出し機能で舌上に食物７を移動させて口腔から本体を引き出したあと、スプリング５機能で自動的に元の位置に戻る為片手で容易に扱える。
【実施例】
【００１１】図１で示すように本考案は柄１にネジ式で固定された包状の本体部１１及び受皿部３を形成し、柄１の左斜め上面の案内溝６に沿って操作ノブ２が可動する。まず、乳児の口腔を円筒形のマウスヘッド８で開口を容易にし、食物押出し部４あたりまで乳児が銜えた事を確認し、親指で操作ノブ２を受皿部３方向に押出していくことにより、操作ノブ２と押出しレバー９が直結されたレバーの先端である食物押出し部４は、食物７をスムーズに受皿部３の上から口腔内の舌上に移動させることを可能としている。食物７を口腔内舌上に移動させたのを確認して口腔から引き出したあとは、スプリング５機能により自然に戻り次の動作に移ることが出来る。【００１２】比較的水に弱いスプリング機能と２分割に分解できる為最も衛生面で清潔さを必要とする受皿部が洗浄出来る。【００１３】ｃ−ｄ間にゴムなどの伸縮性のある素材で緊張させることによりスプリングに替わる機能が期待出来る。【００１４】口腔内にあたる口径を考慮して乳児用から介護用のヘッドにするにはａの幅を広くすることが必要でその為にｂの外径も大きくなり、それに一体化する押出し部４押出しレバー９の取替えが必要である。ノブ２と押出しレバー９の接合部は１０としている。
【産業上の利用可能性】
【００１５】図２の経口部にあたるスプーン受皿部を着脱変更することにより介護用食器にもなる。【００１６】本考案は右利き用の離乳食用食器として作成されてあるが、操作ノブ２の設置場所を変更することにより、左利き用としても使用可能な離乳食用食器となる。
【図面の簡単な説明】
【００１７】
【図１】本考案食器の断面図
【図２】本考案食器の上面図
【図３】本考案食器の作動を説明する断面図
【図４】本考案食器の他の実施例
【符号の説明】
【００１８】１  本体グリップ部
２  操作ノブ
３  受皿部
４  食物押出し部
５  スプリング
６  案内溝
７  食物
８  マウスヘッド
９  押出しレバー
１０  動力部の接合部
１１  本体部・ヘッド取替え部
１２  ゴムなど伸縮性のある素材
【図１】
0003142513.tif 000003
【図２】
0003142513.tif 000004
【図３】
0003142513.tif 000005
【図４】
0003142513.tif 000006
【手続補正書】
【提出日】平成20年2月28日(2008.2.28)
【手続補正１】
【補正対象書類名】実用新案登録請求の範囲
【補正対象項目名】全文
【補正方法】変更
【補正の内容】
【実用新案登録請求の範囲】
【請求項１】
片手のまま乳児を抱いて操作が出来るように、スプーン柄１の外部に手指で前後にスライド可能な操作ノブ２を設置し、柄の内部で操作ノブ２と押出しレバー９が動力部の接合部１０で連結され、押出しレバーの先端である食物押出し部４が操作ノブを案内溝６に沿って前にスライドさせることにより、食物７を受皿部の前面に押出し舌上にスムーズに押し込む動作とし、スプーン先端の受皿は通常のスプーン状とは違い、マウスヘッドの断面が斜めカットの形態でこぼれにくい円筒形のため、食物をこぼすことなく含みやすくその連動作が柄の内部の動力部の接合部１０に設置されたスプリング５により自動的に食物押出し部４が元に戻ることを特徴とした離乳食及び介護用食器。
【請求項２】
柄の内部のスプリングをゴムなどの伸縮性のある素材１２を使用して片手での操作を実現する、請求項１に記載の離乳食及び介護用食器。